(57)【要約】【目的】施工コストが低く、台船を必要とすること無く、底質の広い範囲に亘って堆積砂等の堆積物を除去することが出来る様な浚渫工法の提供。【解決手段】長尺のチューブ状部材４を湖底２ａからダム１を越えてダム下流１ａまで配置し、チューブ状部材４の湖底に配置される領域４３に多数の孔４ａが穿孔されており、多数の孔４ａが穿孔された領域は支持材５により浮遊物６に連結されており、湖底に配置される領域４ｄから堆積物７及び水ｗを吸い込み、ダム下流１ａ側の端部４ｂから排出し、浮遊物６がダム湖面２ｂ上を移動するにつれてチューブ状部材の湖底に配置される領域４ｄが移動する。【選択図】  図１
2005036443.tif 000002
【特許請求の範囲】
【請求項１】
長尺のチューブ状部材をダム湖の湖底からダムを越えてダム下流の河川近傍まで配置せしめる工程を有し、該チューブ状部材の湖底に配置される領域に多数の孔が穿孔されており、該多数の孔が穿孔された領域は支持材によりダム湖面上に浮遊している浮遊物に連結されており、チューブ状部材の湖底に配置される領域に形成された多数の孔からダム湖底質の堆積物及び水を吸い込む工程と、吸い込まれた堆積物及び水をチューブ部材のダム下流の河川近傍側の端部から排出する工程とを含み、前記浮遊物がダム湖面上を移動するにつれてチューブ状部材の湖底に配置される領域が移動する様に構成されていることを特徴とする浚渫工法。
【請求項２】
前記チューブ部材のダム下流の河川近傍に配置される領域は端部に向けて徐々に断面積が拡大する様に構成されており、且つ、当該領域内に気体を流入可能に構成されており、ダム下流の河川近傍に配置される領域内に気体が流入する工程を実行する請求項１の浚渫工法。
【請求項３】
前記浮遊物には支持材用のリールが設けられており、当該リールによる支持材の巻き取り量及び／又は送り出し量を調整して、チューブ状部材の湖底に配置される領域とダム湖底の堆積物表面との相対的距離を適正に制御する工程を有する請求項１、２の何れかの浚渫工法。
【請求項４】
チューブ状部材の湖底に配置される領域に形成された多数の孔からダム湖底質の堆積物及び水を吸い込む工程に先立って、チューブ部材の湖底に配置される領域側からダム下流の河川近傍に配置される領域側の端部へ水を送り出す工程を行う請求項１〜３の何れか１項の浚渫工法。
【発明の詳細な説明】
【０００１】
【発明の属する技術分野】
本発明は、ダム湖の湖底に堆積した土砂（堆砂）を浚渫する技術に関する。
【０００２】
【従来の技術】
ダム湖の湖底に堆積した底質堆積物の浚渫については、カバー部材の内部を攪拌してエアリフトを用いて底質堆積物を浮上させる技術や（例えば、特許文献１）、底質の広い範囲から堆積物を吸い上げる技術（例えば、特許文献２）等、種々の技術が提案されている。
【０００３】
しかし、従来の技術では、堆積物を浮上するため、圧縮空気の送り出しや吸い込み用ポンプの駆動等の動力源が必要となる。その様な動力源の使用は、施工コスト及びランニングコスト高騰の原因となる。
【０００４】
また、従来の技術では、装置を設置した箇所のみで底質堆積物が除去され、その他の領域では堆積物が除去されない問題がある。
装置を設置した箇所以外の領域（その他の領域）に存在する底質堆積物を除去するためには、装置全体を移動するべく、当該装置を台船等から吊下し、台船を移動することにより当該装置を移動する形式が存在する。しかし、台船の準備等に労力及びコストが必要となる。
【０００５】
【特許文献１】
特開２００２−３６４０１８号公報
【特許文献２】
特開２００３−９５１８８号公報
【０００６】
【発明が解決しようとする課題】
本発明は上述した従来技術の問題点に鑑みて提案されたもので、施工コスト及びランニングコストを抑制し、台船を必要とすること無く、ダム湖底質の広い範囲に亘って堆積砂等の堆積物を除去することが出来る様な浚渫工法の提供を目的としている。
【０００７】
【課題を解決するための手段】
本発明の浚渫工法は、長尺のチューブ状部材（チューブ４）をダム湖（２）の湖底（２ａ）からダム（１）を越えてダム下流（１ａ）の河川（３）近傍まで配置せしめる工程を有し、該チューブ状部材（４）の湖底に配置される領域（４ｄ）に多数の孔（４ａ）が穿孔されており、該多数の孔（４ａ）が穿孔された領域（多孔部分４ｄ）は支持材（例えばロープ５）によりダム湖面（２ｂ）上に浮遊している浮遊物（例えばブイ６）に連結されており、チューブ状部材の湖底に配置される領域（多孔部分４ｄ）に形成された多数の孔（４ａ）からダム湖底質の堆積物（例えば堆砂７）及び水（ｗ）を吸い込む工程と、吸い込まれた堆積物（７）及び水（ｗ）をチューブ部材（４）のダム下流（１ａ）の河川（３）近傍側の端部（４ｂ）から排出する工程とを含み、前記浮遊物（例えばブイ６）が（風や波浪等により）ダム湖面（２ｂ）上を移動するにつれてチューブ状部材の湖底に配置される領域（多孔部分４ｄ）が移動する様に構成されていることを特徴としている（請求項１）。
【０００８】
係る構成を具備する本発明によれば、「長尺のチューブ状部材（チューブ４）をダム湖（２）の湖底（２ａ）からダム（１）を越えてダム下流（１ａ）の河川（３）近傍まで配置」することにより、当該チューブ状部材（４）によりサイフォン効果が発生し、呼び水をポンプ（８）等で行えば、それ以降は揚水のための動力が不要となり、コストが軽減する。
【０００９】
また、「多数の孔４ａが穿孔された領域（多孔部分４ｄ）は支持材（例えばロープ５）によりダム湖面（２ｂ）上に浮遊している浮遊物（例えばブイ６）に連結されて」おり、「前記浮遊物（例えばブイ６）が（風や波浪等により）ダム湖面（２ｂ）上を移動するにつれてチューブ状部材の湖底に配置される領域（多孔部分４ｄ）が移動する様に構成されている」ので、風やダム湖面（２ｂ）上の波浪等の自然エネルギにより、「チューブ状部材の湖底に配置される領域（多孔部分４ｄ）」すなわち堆積物の吸い込み位置が移動出来る。
したがって、台船等を設けなくても、ダム湖底質（２ａ）を広い範囲で移動可能となり、ダム湖底質の堆積物採取に要するコストを抑制することが出来る。
【００１０】
本発明において、前記チューブ部材（４）のダム下流（１ａ）の河川（３）近傍に配置される領域は端部に向けて徐々に断面積が拡大する様に構成されており（拡径部分４ｃ）、且つ、当該領域（拡径部分４ｃ）内に気体（例えば高圧エアＡ）を流入可能に構成されており、ダム下流（１ａ）の河川（３）近傍に配置される領域（拡径部分４ｃ）内に気体（例えば高圧エアＡ）が流入する工程を実行するのが好ましい（請求項２）。
【００１１】
このように構成すれば、ダム下流（１ａ）の河川（３）近傍に配置される領域（４ｃ）は端部に向けて徐々に断面積が拡大するため、内部の流体抵抗或いは圧損が減少する。内部の流体抵抗或いは圧損の減少によって、水（ｗ）及び堆積物（堆砂７等）の固液混合流が流れ易くなり、その結果、流量が増加し、チューブ状部材（４）の湖底（２ａ）に配置される領域（多孔部分４ｄ）からの吸い込み量が増加する。
また、ダム下流（１ａ）の河川（３）近傍に配置される領域（拡径部分４ｃ）内に気体（例えば高圧エアＡ）を流入させることにより、当該領域（拡径部分４ｃ）内部は、水、堆積物（堆砂７等）及び気体（例えば高圧エアＡ）の気固液３相混合流となり、その流体抵抗が激減する。そして、流体抵抗が激減して、河川（３）近傍に配置される領域（拡径部分４ｃ）内が流れ易くなり、流量が増加するため、その上流側、すなわち多数の孔４ａが穿孔された領域（多孔部分４ｄ）から吸い込まれる水（ｗ）及び堆積物（堆砂７等）の量が増加するのである。
【００１２】
なお、前記チューブ部材（４）のダム下流（１ａ）の河川（３）近傍に配置される領域（拡径部分４ｃ）内に気体（例えば高圧エアＡ）を流入可能にせしめる構成としては、当該領域（拡径部分４ｃ）内に気体（例えば高圧エアＡ）を強制的に圧入する機構であっても良いし、或いは、当該領域（拡径部分４ｃ）内に気体（例えば高圧エアＡ）が吸入される様に構成しても良い。
【００１３】
本発明において、前記浮遊物（例えばブイ６）には支持材（例えばロープ５）用のリール（９）が設けられており、当該リール（９）による支持材（５）の巻き取り量及び／又は送り出し量を調整して、チューブ状部材（４）の湖底（２ａ）に配置される領域（多孔部分４ｄ）とダム湖底（２ａ）の堆積物（７）表面との相対的距離を適正に制御する工程を有することが好ましい（請求項３）。
【００１４】
堆砂（７）がチューブ（４）内へ効率良く吸引されるか否かは、ダム湖底（２ａ）の堆砂層表面（７ａ）と、チューブの多孔部分（４ｄ）との相対的距離に大きく影響する。上述の様に構成して、支持材（５）の巻き取り量及び／又は送り出し量を調整し、チューブ状部材（４）の湖底（２ａ）に配置される領域（多孔部分４ｄ）とダム湖底（２ａ）の堆積物表面（７ａ）との相対的距離を適正に制御すれば、チューブ（４）内に吸引される堆砂（７）の量が、多くなり過ぎたり、少なくなり過ぎたりすることが防止できるのである。
【００１５】
そして本発明において、チューブ状部材（４）の湖底に配置される領域（多孔部分４ｄ）に形成された多数の孔（４ａ）からダム湖底質の堆積物（例えば堆砂７）及び水（ｗ）を吸い込む工程に先立って、（呼び水用のポンプ８等を用いて、）チューブ部材（４）の湖底に配置される領域（多孔部分４ｄ）側からダム下流（１ａ）の河川（３）近傍に配置される領域側の端部（４ｂ）へ水を送り出す工程（呼び水工程）を行うことが好ましい（請求項４）。
【００１６】
上述した様に、本発明はサイフォンの原理で底質堆積物（７）の吸引、排出を行うので、サイフォンを作用させるための呼び水を、当初において、ダム下流（１ａ）側の端部から排出する必要がある。
【００１７】
【発明の実施の形態】
以下、添付図面を参照して、本発明の実施形態について説明する。
【００１８】
図１において、ダム１によって河川３が堰き止められて出来たダム湖２の湖底部２ａに堆積した堆砂７を除去するため、ダム湖２からダム１を越えた下方１ａまで、チューブ４を配設する。当該チューブ４には、水没している部分４ｗの端部近傍に、多数の小孔４ａを穿孔した多孔部分４ｄが形成されている。
一方、ダム１を越えてダム下流１ａ側に開口している端部４ｂ近傍は、その断面積が、水没部分の断面積よりも漸増して大きくなっている。換言すれば、ダム下流１ａ側に開口している端部４ｂ近傍の領域は、徐々に拡径した形状の拡径部分４ｃを構成している。
【００１９】
前記チューブ４において、多孔部分４ｄが形成された側の端部４ｆは、呼び水用のポンプ８の吐出口に連結している。
【００２０】
拡径部分４ｃの端部４ｂから比較的離隔した上流側位置には、当該チューブ４の拡径部分４ｃの内側に高圧エアを導入する高圧エア供給手段Ａが設けられている。なお、図１において、高圧エア供給手段Ａは矢印で示されている。
【００２１】
前記チューブ４の水没部分には、その深度を調節するために、一端がブイ６に結合しているロープ（支持材）５が連結されている。図１では、２本のロープ５が示されている。
ここで、ブイ６の内部には、前記ロープ５を巻き取り或いは送り出すためのロープ用リール９が内蔵されており、該リール９はコントロールユニット１０により、巻き取り、送り出しが制御される。
【００２２】
チューブの水没部分に設けた多孔部分４ｄに穿孔された多数の小孔４ａから水と共に堆砂７がチューブ４内に吸引される。吸引された水ｗと堆砂７の混合物は、固液混合流としてチューブ４内を流れる。
サイフォンの原理により、ダム湖面２ｂと、チューブ４の下流側端部（拡径部分となった側の端部）４ｂとの高さＨに相当するヘッド（水頭）が作用して、多孔部分４ｄより水ｗ及び堆砂７がチューブ４内に吸引され続ける。
【００２３】
ここでサイフォンでは、吸引孔４ａの真下の堆砂７しか吸引されない恐れがある。しかし、チューブ４はブイ６に連結されており、風や波によりブイ６が動くことにより、当該ブイ６に連結したチューブ４の位置も移動が出来る。即ち、チューブの位置が常に変化するので、チューブ４真下の堆砂７のみが吸引される弊害が解消される。
【００２４】
下流側１ａに拡径部分４ｃを設けることにより、チューブ４内を流れる固液混合流の流量を増加して、チューブ４の反対側端部４ｆ近傍の多孔部分４ｄから（チューブ４内に）吸引される水ｗ及び堆砂７の量を増加することが出来る。
【００２５】
そして、高圧エア供給手段により、拡径部分４ｃの内側に高圧エアＡを供給することにより、チューブ４の拡径部分４ｃ内を流れるのは、堆砂７、水ｗ、高圧エアＡの気固液３相混合流となり、その流体抵抗が減少する。その結果、チューブ４内の流速及び流量が増加するので、多孔部分４ｄからチューブ４内に吸引される水ｗ及び堆砂７の量が増加する。
なお、拡径部分４ｃの構成及び作用の詳細は、後述する。
【００２６】
浚渫に際して、先ず、呼び水用ポンプ８を駆動して、ダム湖２の水ｗをチューブ４内へ吐出し、呼び水として拡径部分側端部４ｂから排出する。
呼び水により、チューブ４全体がサイフォンとして作動しだしたならば、呼び水用ポンプ８を停止して、呼び水用ポンプ８に連結しているチューブ４の端部４ｆが閉鎖された状態にする。
【００２７】
ダム１内の水ｗは、チューブ４の多孔部分４ｄに穿孔された多数の小孔４ａを介して、且つ、堆砂７を連行して、固液混合流としてチューブ４内に流入して、チューブ４内を流れる。
その際に、拡径部分４ｃによりチューブ４の断面積が増加することに加えて、高圧エア供給手段から高圧エアＡを導入することにより、チューブ４の拡径部分４ｃ内を流れるのが気固液３相混合流となり、流体抵抗が減少することとの相乗効果により、チューブ４の流量を増加する。その結果、多孔部分４ｄの多数の小孔４ａを介してチューブ４内に流入する水ｗ及び堆砂７の量が増加するのである。
【００２８】
そして、風や波によりブイ６が動くことにより、チューブ４はその位置を変えて、同一位置の堆砂７のみが排出されることがなくなる。
【００２９】
チューブ４の下流側端部（拡径部分４ｃ側端部）４ｂから流出した堆砂７の量を計測する砂排出量計測手段１２が設けられている。
この砂排出量計測手段１２については、従来、公知の技術をそのまま適用すれば良い。
砂排出量計測手段１２により計測された砂排出量、すなわちチューブ４により吸引されてダム下流側１ａに排出された堆砂７の量は信号ラインＬｑを介して、前記リール９を制御するコントロールユニット１０へ送られる。尚、コントロールユニット１０からはコントロールユニットを搭載していない側のブイ６に装備されたリール９の駆動モータ９Ｍに信号ラインＬｈで接続されている。
【００３０】
ここで、堆砂７がチューブ４に効率良く吸引されるか否かは、ダム湖底２ａの堆砂層表面７ａと、チューブの多孔部分４ｄとの相対的距離に大きく影響する。すなわち、ダム湖底２ａの堆砂層表面７ａとチューブ４の多孔部分４ｄとの相対的距離が適正であれば、適正な量の堆砂７が多孔部分４ｄを介してチューブ４内に吸引されるが、ダム湖底２ａの堆砂層表面７ａとチューブの多孔部分４ｄとの相対的距離が適正でなければ、チューブ４内に吸引される堆砂７の量が、多くなり過ぎたり、少なくなり過ぎたりする。
【００３１】
チューブ４内に吸引される堆砂７の量が多過ぎると、ダム下流側１ａの河川３に大量の砂７が流れてしまい、河川３の水深を浅くしてしまう等の不都合を惹起する。
一方、チューブ４内に吸引される堆砂７の量が少な過ぎると、ダム湖２の貯水量が減少してしまい、渇水時に対処出来なくなってしまう。
【００３２】
そのため、図２で示す様な制御を行って、ロープ５用リール９によるロープ５の巻き取り或いは送り出しを制御し、以って、ダム湖底２ａの堆砂層表面７ａとチューブ４の多孔部分４ｄとの相対的距離が適正となる様にしている。
【００３３】
以下、図２を用い、図１をも参照してロープ５の巻き取り及び送り出しの制御について説明する。
【００３４】
ダム下流１ａで、チューブ４の端部４ｂから所定の距離離れた位置に設置した砂排出量計測手段１２によってチューブ４から排出される堆砂７の量を計測する（ステップＳ１）。コントロールユニット１０は砂の排出量が適正か否かを判断して（ステップＳ２）、適正であれば（ステップＳ２のＹＥＳ）ステップＳ６に、適正でなければ（ステップＳ２のＮＯ）ステップＳ３に進む。
【００３５】
ステップＳ３ではコントロールユニット１０はチューブ４から排出される堆砂７の排出量が多いかそれとも少ないか判断して、多ければリールを巻き取るように制御して（ステップＳ４）、再びステップＳ２以下を適正排出量になるまで繰り返す。一方、適正量よりも少なければリールを送り出すように制御して（ステップＳ５）再びステップＳ２以下を適正排出量になるまで繰り返す。
【００３６】
そして共にステップＳ６に至り、制御を終了するか否かを判断する。制御を終了するのであれば（ステップＳ６のＹＥＳ）そのまま終了し、終了するのでないならば（ステップＳ６のＮＯ）、再びステップＳ１から繰り返す。
【００３７】
前記コントロールユニット１０は、上述したような「堆砂の排出量の多少によってロープの長さの調整を行う機能」の他に、「リールによるロープの巻き取り量或いは送り出し量からチューブの深さを演算して、水深検出手段により計測された堆砂表面までの水深と比較し、当該比較結果から、ダム湖底の堆砂層表面とチューブの多孔部分との相対的距離が適正となる様に制御する機能」を有している。
【００３８】
図３及び図４を参照して、コントロールユニット１０の構成及び係る機能を発揮させるための制御について説明する。
【００３９】
図３においてコントロールユニット１０は、リール９に巻き取られたロープ５に係合しそのロープ５の長さを演算するロープ長さ演算手段１０Ｂと、前記ブイ６に搭載された水深検出手段（例えば、市販の魚群探知機等を転用可能）１０Ｄと、前記ロープ長さ演算手段１０Ｂからの情報及び前記水深検出１０Ｄからの情報を比較し適正ロープ長さを演算する比較手段１０Ｃと、その適正ロープ長さにするべく前記ブイ６に搭載されたリール９に装備された巻き上げ用電動モータ９に制御信号を発信する制御信号発信手段１０Ｅとを備えている。
【００４０】
図４を参照して、ダム湖底２ａの堆砂層７表面とチューブの多孔部分４ｄとの相対的距離を適正とする制御方法について以下に説明する。
【００４１】
先ず、リール送り出し量又は巻き取り量をロープ長さ演算手段１０Ｂによって演算する（ステップＳ１１）。次に水深検出手段Ｄによって湖底２ａのチューブ４までの水深を計測する（ステップＳ１２）。
【００４２】
コントロールユニット１０はロープ長さが適正か否かを判断して（ステップＳ１３）、適正であれば（ステップＳ１３のＹＥＳ）ステップＳ１７まで進み、適正でなければ（ステップＳ１３のＮＯ）、ステップＳ１４に進む。
【００４３】
ステップＳ１４では、コントロールユニット１０はロープが適正値に対して長いのか短いのかを判断して、長ければ電動モータ９Ｍでリールを巻き取るように制御して（ステップＳ１５）、再びステップＳ１３以下を適正長さになるまで繰り返す。一方、適正量よりも短ければ電動モータ９Ｍを逆転させリールを送り出すように制御して（ステップＳ５）再びステップＳ１３以下を適正長さになるまで繰り返す。
【００４４】
ステップＳ１７では、制御を終了するか否かを判断する。制御を終了するのであれば（ステップＳ１７のＹＥＳ）そのまま終了し、終了するのでないならば（ステップＳ１７のＮＯ）、再びステップＳ１１から繰り返す。
【００４５】
上述したような実施形態によれば、「長尺のチューブ４をダム湖２の湖底２ａからダム１を越えてダム下流１ａの河川３近傍まで配置」することにより、当該チューブ４によりサイフォン効果が発生し、呼び水をポンプ８等で行えば、それ以降は揚水のための動力が不要となり、コストが軽減する。
【００４６】
「チューブの湖底に配置される領域（多孔部分４ｄ）はロープ５によりダム湖面２ｂ上に浮遊している例えばブイ６に連結されて」おり、「前記ブイ６が（風や波浪等により）ダム湖面２ｂ上を移動するにつれてチューブの多孔部分４ｄが移動する様に構成されている」ので、風やダム湖面２ｂ上の波浪等の自然エネルギにより、「チューブの多孔部分４ｄ」即ち、堆積物の吸い込み位置が移動出来る。
したがって、台船等を設けなくても、ダム湖底質２ａを広い範囲で移動可能となり、ダム湖底質の堆積物採取に要するコストを抑制することが出来る。
【００４７】
再び図１において、上述した様に、ダム下流１ａの河川３近傍に配置される領域４ｃは、端部に向けて徐々に断面積が拡大する（拡径部分４ｃ）様に構成されており、拡径部分４ｃに高圧エアＡを流入させることによって、流体抵抗或いは圧損を減少している。
【００４８】
より詳細に説明すると、拡径部分４ｃ内に高圧流体（例えば高圧エアＡ）を噴射することにより、拡径部分４ｃ内部には、水ｗ、堆砂７、高圧エアＡの気固液３相混合流が流れることとなる。
ここで、図５を参照して、固液２相混合流と、気固液３相混合流の流体抵抗を、比較して説明する。
【００４９】
図５において、水ｗと堆砂７の混合流である固液２相混合流がチューブ４の拡径部分４ｃ内を流れる状態が、符号「（Ａ）」の部分で示されている。一方、高圧エアＡと水ｗと堆砂７の混合流である気固液３相混合流がチューブ４の拡径部分４ｃ内を流れる状態が、図５において、符号「（Ｂ）」の部分で示されている。
図５（Ａ）、（Ｂ）において、水ｗと堆砂７の混合流である固液混合物の領域が符号「ＳＬＰ」で示されており、高圧エアＡの領域が符号「ＧＰ」で示されている。
【００５０】
図５（Ａ）で示す様に、水ｗと堆砂７の混合流である固液２相混合流は、チューブ４或いは拡径部分４ｃ内を概略一様に流れる。従って、チューブ４或いは拡径部分４ｃの所定の長さＬ当たりにおける流体抵抗は、どの部分をとっても概略均一である。
これに対して、図５（Ｂ）で示す固液３相混合流の場合は、チューブ４或いは拡径部分４ｃ内は、水ｗと堆砂７の混合流である固液混合物の領域ＳＰＬと、高圧エアＡの領域ＧＰとが、交互に存在するような流れが発生する。
【００５１】
ここで、固液混合物の流体抵抗と、高圧エアＡの流体抵抗とを比較すれば、後者（高圧エアＡ或いは気体）の流体抵抗の方が遥かに小さい。そして、所定長さＬの流体抵抗は、当該長さにおけるミクロな領域毎の流体抵抗の平均値として表れるため、図５（Ａ）の流体抵抗と図５（Ｂ）の流体抵抗とを比較すれば、高圧エアＡの領域ＧＰが存在する分だけ、図５（Ｂ）で示す流体抵抗の方が小さくなるのである。
そのため、固液２相混合流の流体抵抗に比較して、気固液３相混合流の流体抵抗は非常に小さくなり、流体抵抗が小さくなる分だけ、混合流が流れ易くなり、流量が増加する。その結果として、水ｗと堆砂７の混合流の流量が増加して、水ｗ及び堆砂７等の吸い込み量が増加するのである。
なお、上述した流体抵抗の減少は、混合される気体が高圧エアではなく、通常の大気をそのまま吸い込んだ場合であっても、同様に生じる。
【００５２】
図１では、拡径部分４ｃは、漸次拡大する形状、具体的には図６の符号（Ａ）で示す形状となっている。
しかし、上述した流体抵抗減少及び／又は流量増加の作用効果を得るためには、符号（Ａ）で示す漸次拡大する形状では無くても良い。図６の符号（Ｂ）で示す様に段階的に拡径しても良いし、符号（Ｃ）で示す様に段部Ｓで急激に拡径させても良い。
【００５３】
さらに、拡径部分４ｃに気体を吸い込ませる機構の１例について、図７を参照して説明する。
図７において、チューブ４或いは拡径部分４ｃには、気体の吸込口２２が形成されており、吸込口２２には気体流路２４、２６が連通している。ここで、気体流路２４はチューブ４（或いは拡径部分４ｃ）の外側に形成された部分であり、気体流路２６はチューブ４（或いは拡径部分４ｃ）の内側に形成された部分である。
【００５４】
流路２６はチューブ４（或いは拡径部分４ｃ）の内側で拡径している（符号２８で示す部分）。
チューブ４（或いは拡径部分４ｃ）内を流れる水ｗと堆砂７の混合流である固液混合物（２相混合流）は、拡径部分２８が邪魔板として作用するため、抵抗を受け、乱硫化する。そのため、拡径部分２８の直ぐ下流側の位置で渦Ｖを生じる。渦Ｖが発生すると、その部分には負圧が発生し、当該負圧により、大気が吸引されて、水ｗと堆砂７の混合流が気固液３相混合流となる。
【００５５】
再び図１において、堆砂７の吸引効率を向上するためには、拡径部分４ｃの端部４ｂの位置と、ダム湖の湖底部２ａとの高さ方向位置の差Ｈ−１が大きいことが好ましい。
同様な趣旨で、拡径部分４ｃの堆砂層に対応する高さ方向位置の断面積ＡＳ１も大きいことが好ましい。
【００５６】
図示の実施形態はあくまでも例示であり、本発明の技術的範囲を限定する趣旨の記述ではない旨を付記する。
【００５７】
【発明の効果】
本発明の作用効果を、以下に列挙する。
（１）  長尺のチューブ状部材をダム湖底からダムを越えてダム下流の河川近傍まで配置することにより、当該チューブ状部材によりサイフォン効果が発生し、呼び水をポンプ等で行えば、それ以降は揚水のための動力が不要となり、コストが軽減する。
（２）  チューブ状部材の湖底に配置される領域で小さな孔が形成された多孔部分はロープによりダム湖面上に浮遊している例えばブイに連結されており、そのブイが風や波浪等によりダム湖面上を移動するにつれて多孔部分が移動する様に構成されているので、風やダム湖面上の波浪等の自然エネルギにより、多孔部分、即ち、堆積物の吸い込み位置が移動出来る。
したがって、台船等を設けなくても、ダム湖底質を広い範囲で移動可能となり、ダム湖底質の堆積物採取に要するコストを抑制することが出来る。
（３）  チューブ状部材のダム下流の河川近傍に配置される領域には端部に向けて徐々に断面積が拡大する拡径部分が形成されており、且つ、その拡径部分内に例えば高圧エア等の気体が流入可能に構成されているので、拡径部分によって内部の流体抵抗或いは圧損が減少する。内部の流体抵抗或いは圧損の減少によって、水及び堆砂等の固液混合流が流れ易くなり、その結果、流量が増加し、チューブの湖底に配置される領域からの吸い込み量が増加する。
（４）  チューブ状部材の湖底に配置される領域（多孔部分）とダム湖底の堆積物表面との相対的距離を適正に制御出来るように構成されているので、チューブ内に吸引される堆砂の量を、適正に加減出来る。
【図面の簡単な説明】
【図１】本発明の実施形態の全体構成を示す断面図。
【図２】本発明の実施形態において、チューブ状部材からの堆砂の排出量を加減する制御方法を説明するフローチャート。
【図３】本発明の実施形態におけるチューブの支持用ロープの長さを制御するコントロールユニットの構成を示したブロック図。
【図４】本発明の実施形態におけるチューブ支持用ロープの長さの制御方法を示したフローチャート。
【図５】水と堆砂の混合流である固液２相混合流がチューブの拡径部分内を流れる状態と、高圧エアと水と堆砂の混合流である気固液３相混合流がチューブの拡径部分内を流れる状態とを比較して、模式的に示す図。
【図６】チューブの拡径部分の実施例を示す図。
【図７】チューブ内に高圧エアを吸引せしめる機構の１例を示す図。
【符号の説明】
１・・・ダム
１ａ・・・ダム下流
２・・・ダム湖
２ａ・・・湖底
２ｂ・・・湖面
３・・・河川
４・・・チューブ／チューブ状部材
４ａ・・・孔
４ｂ・・・チューブの端部
４ｃ・・・拡径部分
４ｄ・・・多孔部分
５・・・ロープ／支持材
６・・・ブイ／浮遊物
７・・・堆砂
８・・・ポンプ
９・・・リール
１０・・・コントロールユニット／制御手段
Ａ・・・高圧エア供給手段
【図１】
2005036443.tif 000003
【図２】
2005036443.tif 000004
【図３】
2005036443.tif 000005
【図４】
2005036443.tif 000006
【図５】
2005036443.tif 000007
【図６】
2005036443.tif 000008
【図７】
2005036443.tif 000009